(57)【要約】【課題】バリカンにおいて、毛髪を刃溝奥へ均一な密度で且つスムーズに導入して切断負荷を少なくし、切れ味を向上させスムーズに毛髪を切断可能にする。【解決手段】バリカンは、櫛状の固定刃１２及び可動刃１３を重ねて、可動刃１３を固定刃１２に対して往復摺動して、固定刃１２の刃溝に導入した毛髪を切断する。固定刃１２において、長櫛刃１２ａの刃長Ｌａは整毛櫛刃１２ｂの刃長Ｌｂより長く、短櫛刃１２ｃは整毛櫛刃１２ｂより刃長Ｌｃが短い。また、長櫛刃１２ａ、整毛櫛刃１２ｂ及び短櫛刃１２ｃは、長櫛刃１２ａのピッチＰａが整毛櫛刃１２ｂのピッチＰｂと同等になり、且つ、短櫛刃１２ｃのピッチＰｃが整毛櫛刃１２ｂのピッチＰｂよりも短くなるように配設されている。毛髪は、長櫛刃１２ａ間に導入されて整毛され、さらに整毛櫛刃１２ｂにより整毛されることにより、密度が均一化されたうえで短櫛刃１２ｃ間の刃溝奥に導入される。【選択図】図５
2010124869.tif 000002
【特許請求の範囲】
【請求項１】
櫛状の固定刃及び可動刃を重ねて、前記可動刃を前記固定刃に対して櫛刃の並設方向に往復摺動して毛髪を切断するバリカンにおいて、
前記固定刃は、その基端部から先端部までの刃長が互いに異なる２種類の第１及び第２の櫛刃を有し、
前記櫛刃のうち、刃長が長い第１の櫛刃の最小ピッチが、刃長が短い第２の櫛刃の最小ピッチより長いか、又は同等とされ、
さらに、前記固定刃は、互いに隣り合う前記第１の櫛刃の間に、少なくとも１つ以上の整毛櫛刃を有し、
前記整毛櫛刃は、その刃長が前記第１の櫛刃よりも短く、前記第２の櫛刃よりも長く、かつ、その最小ピッチが前記第１の櫛刃のそれと同等か、又は短く、また、前記第２の櫛刃のそれと同等か、又は長いことを特徴とするバリカン。
【請求項２】
前記櫛刃の幅寸法を、刃長の長いものほど大きくしたことを特徴とする請求項１に記載のバリカン。
【発明の詳細な説明】
【技術分野】
【０００１】
本発明は、櫛状の可動刃を櫛状の固定刃に対して往復摺動させて毛髪を切断するバリカンに関する。
【背景技術】
【０００２】
従来より、櫛状の固定刃及び可動刃を重ね、可動刃を固定刃に対して櫛刃の並設方向に往復摺動させて毛髪を切断するバリカンが知られている（例えば、特許文献１参照）。図９は、このようなバリカンのバリカン刃に設けられている固定刃８２を示す。固定刃８２は、互いに交互に並ぶように配設された、刃長が長い櫛刃８２ａと櫛刃８２ａより刃長が短い櫛刃８２ｃの２種類の櫛刃８２ａ，８２ｃを有し、スキップ歯刃状に形成されている。可動刃（図示せず）は、固定刃８２に押し付けられており、バリカン本体（図示せず）のモータ等の駆動力により、櫛刃８２ａ，８２ｃの並設方向に往復摺動する。バリカンは、毛髪を、固定刃８２の櫛刃８２ａ間の刃溝と可動刃の櫛刃間の刃溝に導入し、固定刃８２と可動刃とで挟み、切断する。このバリカンは、毛髪を、刃長が長い櫛刃８２ａ間の刃溝毎の束に分割して整え（整毛）、その後、その毛髪を、櫛刃８２ａと櫛刃８２ｃとの間のより幅が狭い刃溝に容易に梳き寄せることができるように構成されている。
【０００３】
また、安全性を高める目的で、固定刃に、櫛刃よりも長い別の櫛刃を設けたバリカン刃の構造が知られている（例えば、特許文献２参照）。図１０は、このようなバリカン刃に設けられている固定刃９２を示す。固定刃９２は、刃長が短い櫛刃９２ａと、櫛刃９２ａが２つ並ぶ毎に設けられた刃長が長い安全刃部９２ｅとを有している。櫛刃９２ａ間の刃溝への肌の突出が安全刃部９２ｅにより制限されるため、安全性が向上する。
【特許文献１】特開平１０−７６０７９号公報
【特許文献２】特開平１１−１９７３７２号公報
【発明の開示】
【発明が解決しようとする課題】
【０００４】
しかしながら、特許文献１に開示されているようなバリカン刃では、切断対象となる毛髪の密集度合いすなわち密度が不均一であるときに、切断能力が低下することがある。図９の矢印は、刃溝に導入される際の毛髪の動きを示す。固定刃８２は櫛刃８２ａ間の間隔が比較的狭いスキップ歯刃状であるので、毛髪の密度が不均一であると、櫛刃８２ａ間の刃溝に導入した毛髪の束の密度も異なりやすくなる。密度が高い束や密度が低い束の毛髪がそれぞれ櫛刃８２ａと櫛刃８２ｃとの間の刃溝に分かれて導入されると、導入された毛髪の刃溝内での密度が、刃溝毎に不均一になる。各刃溝に導入された毛髪の切断タイミングは互いにずれているので、刃溝毎に毛髪の密度が異なると、切断時に可動刃に加わる負担が大きくなり、バリカン本体のモータ等の負荷が増大し、スムーズに毛髪を切断することができなくなる。また、毛髪が、高い密度で櫛刃８２ａ間の刃溝に導入されると、その毛髪のうち櫛刃８２ａと櫛刃８２ｃとの間の刃溝に導入できないものが多くなるので、当該部分の毛髪を適正に切断するために必要なバリカンの操作量が多くなる。
【０００５】
また、特許文献２に開示されているようなバリカン刃でも、上述と同様に、毛髪が不均一に密集しているときに切断能力が低下することがある。図１０の矢印は、刃溝に導入される際の毛髪の動きを示す。固定刃９２の刃長が長い安全刃部９２ｅは、毛髪を刃溝に導入しやすくする役割を担うものではなく、安全刃部９２ｅ同士の間隔は広くなっている。そのため、特に安全刃部９２ｅから離れた位置の毛髪は、安全刃部９２ｅによる整毛効果を受けないまま、櫛刃９２ａ間の刃溝に導入されやすい。従って、導入対象となる毛髪の密度が不均一であると、櫛刃９２ａ間の刃溝に導入された毛髪の密度が刃溝毎に異なりやすくなり、可動刃に加わる負担が大きくなる。
【０００６】
本発明は、上記問題点を鑑みてなされたものであり、毛髪を刃溝奥へ均一な密度で且つスムーズに導入することができ、切断負荷が少なく、切れ味が優れスムーズに毛髪を切断可能なバリカンを提供することを目的とする。
【課題を解決するための手段】
【０００７】
上記目的を達成するため、請求項１の発明は、櫛状の固定刃及び可動刃を重ねて、前記可動刃を前記固定刃に対して櫛刃の並設方向に往復摺動して毛髪を切断するバリカンにおいて、前記固定刃は、その基端部から先端部までの刃長が互いに異なる２種類の第１及び第２の櫛刃を有し、前記櫛刃のうち、刃長が長い第１の櫛刃の最小ピッチが、刃長が短い第２の櫛刃の最小ピッチより長いか、又は同等とされ、さらに、前記固定刃は、互いに隣り合う前記第１の櫛刃の間に、少なくとも１つ以上の整毛櫛刃を有し、前記整毛櫛刃は、その刃長が前記第１の櫛刃よりも短く、前記第２の櫛刃よりも長く、かつ、その最小ピッチが前記第１の櫛刃のそれと同等か、又は短く、また、前記第２の櫛刃のそれと同等か、又は長いものである。
【０００８】
請求項２の発明は、請求項１の発明において、前記櫛刃の幅寸法を、刃長の長いものほど大きくしたものである。
【発明の効果】
【０００９】
請求項１の発明によれば、密度が不均一である毛髪を、第１櫛刃により刃溝毎の束に分割した後、整毛櫛刃によりさらに小さい束に分割して整えたうえで、第２櫛刃間の刃溝奥に導入することができる。毛髪の整毛を多段階に行うことにより、第２櫛刃間の刃溝に導入する前の各束毎の毛髪の密度を均一化することができ、毛髪を各刃溝奥に均一な密度でスムーズに導入することができるので、毛髪切断時の可動刃の負担を低減して切れ味を向上させスムーズに毛髪を切断することができる。
【００１０】
請求項２の発明によれば、刃長が長い櫛刃の剛性及び強度を向上させることができるので、固定刃の破損を防止し、且つ、毛髪の切れ味をより良くすることができる。
【発明を実施するための最良の形態】
【００１１】
以下、本発明の一実施形態に係るバリカンの構成について、図面を参照して説明する。図１（ａ）、（ｂ）、（ｃ）は、本実施形態に係るバリカン１の一例を示す。このバリカン１は、把持部を兼ねた細長形状の本体部２の長手方向先端部（図１（ａ）では上端）に、固定刃１２と可動刃１３等を有する刃ブロック１０を装着して構成されている。バリカン１は、動作時に、本体部２内に配してあるモータ６を駆動源として、刃ブロック１０の可動刃１３を、固定刃１２に対して本体部２の短手方向（図１（ｂ）では左右方向）に往復摺動させる。このとき、固定刃１２の先端の刃溝内に毛髪が導入されると、その毛髪を固定刃１２と可動刃１３との間で挟み込み、切断する（挟み切り）。
【００１２】
先ず、本体部２の構成について説明する。図１（ａ）に示すように、本体部２は、片手で把持し得る側面視略Ｓ字状の外殻を成す本体ハウジング３により覆われている。図１（ｂ）に示すように、本体ハウジング３には、操作スイッチ４ａと、刈り高さ調整用のダイヤル４ｂとが、本体ハウジング３の外部に露出しユーザにより操作可能に設けられている。刈り高さ調整用のダイヤル４ｂは、回動自在に配設されている。図１（ｃ）に示すように、本体ハウジング３の内部には、充電池５と、充電池５により電力を供給されて往復駆動されるモータ６と、モータ６の駆動力を図中上端側に伝達する動力伝達機構６ａと、動力伝達機構６ａにより往復駆動される出力軸６ｂと、操作スイッチ４ａの押込み操作に応じたモータ６への電力供給等を制御する制御部７と、ダイヤル４ｂに連動する伝達機構８等が収納されている。出力軸６ｂは、後述するように刃ブロック１０に設けられている案内板１５と連動するように、本体ハウジング３の先端部（図中上方）から突出するように配設されている。伝達機構８は、後述するように刃ブロック１０に設けられている切替レバー１７を起倒操作するように、ダイヤル４ｂの正逆回転に連動して本体ハウジング３の前後方向（図中上下方向）に変位可能に配設されている。
【００１３】
次に、刃ブロック１０の構成について説明する。図２乃至図４は、刃ブロック１０を示す。刃ブロック１０は、後述するように３種類の櫛刃１２ａ，１２ｂ，１２ｃを多数並設して成る櫛状の固定刃１２と、固定刃１２に摺接する櫛刃（以下、可動刃櫛刃と称する）１３ａを多数並設して成る櫛状の可動刃１３を有している。また、刃ブロック１０は、固定刃１２を保持する固定板１４及び可動刃１３を保持する案内板１５と、可動刃１３を固定刃１２に押し付けるための押付ばね１６と、押付ばね１６を保持する切替レバー１７等を有している。刃ブロック１０は、固定板１４が本体部２に保持されて本体部２に取り付けられている。なお、図２及び図４（ａ）において、矢印Ｘは、固定刃１２の櫛刃１２ａ，１２ｂ，１２ｃ及び可動刃櫛刃１３ａの並設方向、すなわちバリカン１の駆動時における可動刃１３の往復移動方向を示す。また、図２及び図４（ｂ）において、矢印Ｙは、後述の刈り高さ調整機能による可動刃１３の変位方向を示す。
【００１４】
図３に示すように、固定刃１２の先端部には、上面両側部が切れ刃となる先細状の３種類の櫛刃１２ａ，１２ｂ，１２ｃが、多数並設されている。また、可動刃１３の先端部には、下面両側部が切れ刃となる多数の可動刃櫛刃１３ａが、固定刃１２の櫛刃１２ａ，１２ｂ，１２ｃの並設間隔とは異なる所定の間隔で並設されている。固定板１４は、固定刃１２に係合させるためのフック１４ａを有しており、該フック１４ａにより固定刃１２を固定する。また、固定板１４は、切替レバー１７を支持するための半円溝部１４ｂと、押付ばね１６の一部を支持するためのばね受け部１４ｃを有している。案内板１５は、本体部２側の出力軸６ｂの先端部を挟むように形成された挟持部１５ａと、可動刃１３に係合させるためのフック１５ｂを有している。案内板１５は、例えば、フック１５ｂが可動刃１３に係合するようにして、ヒートシール（図示せず）等を介して固定することにより、該可動刃１３を保持している。
【００１５】
押付ばね１６は、例えば、ダブルトーション形のねじりコイルばねであり、略同軸に並ぶ２つのコイル１６ａが、切替レバー１７に嵌合支持されて配置されている。押付ばね１６は、比較的長い両端の腕部１６ｂそれぞれが案内板１５及び可動刃１３に接続され、中央部の腕部１６ｃが固定板１４のばね受け部１４ｃに支持されて配置されている。押付ばね１６は、押付ばね１６の復元力により案内板１５及び可動刃１３を固定刃１２に向けて押し付けるように弾性変形状態で配置されている。モータ６が駆動されると、出力軸６ｂの往復駆動の駆動力が挟持部１５ａを介して案内板１５に伝達される。これにより、可動刃１３は、案内板１５と共に、押付ばね１６により固定刃１２の摺動面に押し付けられた状態で、押付ばね１６の両端の腕部１６ｂをコイル１６ａに対し変位させながら、固定刃１２に対し往復摺動する。押付ばね１６の付勢力により、毛髪切断時に可動刃１３に対して力が加わっても、可動刃１３が固定刃１２から浮き上がることがなく、安定して毛髪を切断することができる。
【００１６】
切替レバー１７は、下部両側端に形成された略円柱形状の回動軸１７ａと、両側部から上方に突出し本体部２の伝達機構８に当接するように形成された突起部１７ｂを有している。切替レバー１７は、回動軸１７ａが固定板１４の半円溝部１４ｂに支えられ、回動軸１７ａを中心に回動し、固定板１４に対して起倒可能に配されている。切替レバー１７には、押付ばね１６のコイル１６ａが嵌合されており、切替レバー１７は、押付ばね１６により、固定板１４に対する姿勢が倒伏姿勢になるような向きに付勢されている。押付ばね１６の付勢力に抗して、切替レバー１７を起立姿勢側に回動操作すると、可動刃１３が固定刃１２に押圧されたまま、可動刃１３及び案内板１５が、固定刃１２の櫛刃１２ａ，１２ｂ，１２ｃや可動刃櫛刃１３ａの突出方向（矢印Ｙ方向）に向けてスライドする。なお、図４（ａ），（ｂ）は、切替レバー１７が倒伏姿勢であるときの固定刃１２に対する可動刃１３の位置を示す。
【００１７】
切替レバー１７の起倒操作は、ダイヤル４ｂを回転させ、伝達機構８の位置を変更することにより行うことができる。すなわち、ダイヤル４ｂの回転位置を所定の正方向に移動させると、伝達機構８により突起部１７ｂが可動刃櫛刃１３ａの突出方向に押し込まれ、切替レバー１７が起立姿勢に向けて回動する。これにより、可動刃１３は、その可動刃櫛刃１３ａの先端部が固定刃１２の櫛刃１２ａ，１２ｂ，１２ｃの先端部に接近するようにスライドする。また、ダイヤル４ｂの回転位置を上記正方向に対し逆方向に移動させると、伝達機構８による突起部１７ｂの押し込み量が少なくなるため、切替レバー１７は押付ばね１６の付勢力により倒伏姿勢に向けて回動する。これにより、可動刃１３は、その可動刃櫛刃１３ａの先端部が固定刃１２の櫛刃１２ａ，１２ｂ，１２ｃの先端部から離れる方向にスライドする。ダイヤル４ｂ及び伝達機構８は、伝達機構８の位置を複数段変更可能に構成されており、固定刃１２に対する可動刃１３の位置は、固定刃１２の櫛刃１２ａ，１２ｂ，１２ｃや可動刃櫛刃１３ａの突出方向に複数段設定された所定の位置に変更可能である。固定刃１２の櫛刃１２ａ，１２ｂ，１２ｃは、先端部から基端部に近づく程、肉厚すなわち固定刃１２の可動刃１３との摺接面から下端部までの寸法が次第に大きくなるような側面視尖鋭形状に形成されている。従って、固定刃１２に対する可動刃１３の位置を変更することにより、毛髪の刈り高さを調整可能である。
【００１８】
ここで、固定刃１２について、図５（ａ）、（ｂ）を参照して詳細に説明する。図５（ａ）に示すように、固定刃１２の３種類の櫛刃１２ａ，１２ｂ，１２ｃは、互いに基端部から先端部までの刃長が互いに異なるものである。本実施形態において、３種類の櫛刃１２ａ，１２ｂ，１２ｃのうち、長櫛刃（第１の櫛刃）１２ａは、その刃長Ｌａが最も長いものである。また、短櫛刃（第２の櫛刃）１２ｃは、その刃長Ｌｃが最も短いものである。整毛櫛刃１２ｂは、その刃長Ｌｂが長櫛刃１２ａより短く、短櫛刃１２ｃより長いものである。すなわち、Ｌａ＞Ｌｂ＞Ｌｃの関係が成り立っている。図５（ｂ）に示すように、長櫛刃１２ａ、整毛櫛刃１２ｂ、短櫛刃１２ｃは、側方から見て、それぞれの下端部の稜線が互いに一致するように、すなわち上記のように長櫛刃１２ａの側面視尖鋭形状の一部分に一致するように形成されている。従って、長櫛刃１２ａ、整毛櫛刃１２ｂ、短櫛刃１２ｃは、それらの下端部が同一面上に位置し、また、それらの上端部が同一の可動刃１３の摺接面上に位置し、上面視で基端部から先端部に向く方向にのみ凹凸するように配設されている。
【００１９】
長櫛刃１２ａ、整毛櫛刃１２ｂ及び短櫛刃１２ｃは、それぞれ、各長櫛刃１２ａの両隣に短櫛刃１２ｃが位置するように、且つ、各短櫛刃１２ｃが長櫛刃１２ａと整毛櫛刃１２ｂに隣接するように配設されている。長櫛刃１２ａは、長櫛刃１２ａ同士の並設方向の間隔（ピッチ）がＰａとなるように均等な間隔で配設されている。整毛櫛刃１２ｂは、整毛櫛刃１２ｂ同士のピッチがＰｂとなるように均等な間隔で配設されている。短櫛刃１２ｃは、短櫛刃１２ｃ同士のピッチがＰｃとなるように均等な間隔で配設されている。本実施形態において、長櫛刃１２ａ、整毛櫛刃１２ｂ及び短櫛刃１２ｃは、長櫛刃１２ａのピッチＰａが整毛櫛刃１２ｂのピッチＰｂと同等になり、且つ、短櫛刃１２ｃのピッチＰｃが整毛櫛刃１２ｂのピッチＰｂよりも短くなるように配設されている。すなわち、Ｐａ＝Ｐｂ＞Ｐｂの関係が成り立っている。なお、各櫛刃１２ａ，１２ｂ，１２ｃは、隣り合うもの同士の基端部の中央部の間隔が略一定となるように、所定のピッチで並設されている。
【００２０】
長櫛刃１２ａ、整毛櫛刃１２ｂ及び短櫛刃１２ｃは、それぞれ先端部付近の幅寸法が互いに略等しく、先端部から基端部に近づくにつれ上面視で幅寸法が大きくなるように形成されている。すなわち、各櫛刃１２ａ，１２ｂ，１２ｃの基端部の幅寸法は、刃長が最も長い長櫛刃１２ａが最も大きく、２番目に長い整毛櫛刃１２ｂが次いで大きく、刃長が最も短い短櫛刃１２ｃが最も小さくなっている。これにより、櫛刃１２ａ，１２ｂ，１２ｃの剛性及び強度は高くなるため、刃長が長くても破損しにくく、且つ、良好な毛髪の切れ味を得ることができる。
【００２１】
以下に、バリカン１により行われる毛髪の切断について説明する。バリカン１は、固定刃１２の下端部が毛髪が生えている表皮に沿うようにして、バリカン１を前方（固定刃１２の先端部方向）に移動させて用いられる。毛髪は、バリカン１の移動に伴い、固定刃１２の櫛刃１２ａ，１２ｂ，１２ｃ間の刃溝に導入される。図６は、固定刃１２の刃溝に導入される際の毛髪の動きを示す。図の矢印は、導入される毛髪の位置の移り変わりを示す。毛髪は、先ず、長櫛刃１２ａにより刃溝毎の束に分割されて第１段階の整毛が行われ、長櫛刃１２ａ間の刃溝に導入される。さらにバリカン１が移動すると、この長櫛刃１２ａにより整毛されたそれぞれの毛髪の束が、整毛櫛刃１２ｂにより２分割されて第２段階の整毛が行われ、長櫛刃１２ａと整毛櫛刃１２ｂとの間の２つの刃溝に導入される。その後、バリカン１の移動に伴い、整毛櫛刃１２ｂで整毛されたそれぞれの毛髪の束が、短櫛刃１２ｃにより２分割されて、長櫛刃１２ａと短櫛刃１２ｃとの間の刃溝と、短櫛刃１２ｃと整毛櫛刃１２ｂとの間の刃溝に導入される。
【００２２】
ここで、切断対象となる毛髪の密度（毛髪が密集する度合い）が不均一である場合について説明する。図７は、刃溝に導入される際の毛髪Ｈの動きの一例を示す。図において、円形は毛髪Ｈを示す。毛髪Ｈの密度が、櫛刃１２ａ，１２ｂ，１２ｃの並設方向に沿って不均一であり、例えば、図の左側よりも右側のほうが密度が高くなっているとする（図にＰ１で示す）。このとき、先ず、毛髪Ｈは、長櫛刃１２ａによる第１段階の整毛を経ると、毛髪Ｈのうち密度が高い部分で毛髪Ｈがより密集するため、若干量だけ毛髪Ｈが密度が高い部位から低い部位に移動する（図にＰ２で示す）。次に、毛髪Ｈが、整毛櫛刃１２ｂによる第２段階の整毛を経ると、密度が高い部分の毛髪Ｈが密度の低い部分に若干量だけ移動する（図にＰ３で示す）。第１段階の整毛及び第２段階の整毛を経ることにより、毛髪Ｈの刃溝毎の密度が徐々に均一化される。その後、各刃溝の毛髪Ｈは、短櫛刃１２ｃにより２分割されて、刃溝奥に導入される（図にＰ４で示す）。
【００２３】
このように、本実施形態によれば、毛髪を長櫛刃１２ａにより刃溝毎の束に分割した後、整毛櫛刃１２ｂによりさらに小さい束に分割して整えたうえで短櫛刃１２ｃ間の刃溝奥に導入する。従って、切断対象となる毛髪の密度が不均一であったり、高密度の毛髪を刃溝に導入する場合でも、短櫛刃１２ｃにより分割されるより前に毛髪の整毛を２段階に行うことにより、各束毎の毛髪の密度を均一にすることができる。これにより、毛髪Ｈを、均一な密度で各刃溝奥にスムーズに導入することができ、刃溝毎の切断負荷のばらつきを少なくし、毛髪切断時の可動刃１３の負担を低減して切れ味を向上させ、スムーズに毛髪Ｈを切断することができる。
【００２４】
なお、長櫛刃１２ａ、整毛櫛刃１２ｂ及び短櫛刃１２ｃの並び順は上記に限られない。すなわち、整毛櫛刃１２ｂが、互いに隣り合う長櫛刃１２ａの間に少なくとも１つ以上設けられており、且つ、長櫛刃１２ａの最小ピッチＰａと、整毛櫛刃１２ｂの最小ピッチＰｂと、短櫛刃１２ｃの最小ピッチＰｃとが、Ｐａ≧Ｐｂ≧Ｐｃの関係を満たせばよい。このように櫛刃１２ａ，１２ｂ，１２ｃを配設することにより、上述と同様に、毛髪の整毛を多段階に行い、毛髪を各刃溝奥に均一な密度で導入することが可能になる。
【００２５】
図８は、本実施形態の一変形例に係る固定刃２２を示す。固定刃２２は、長櫛刃１２ａ、整毛櫛刃１２ｂ及び短櫛刃１２ｃの並設態様が、上述の固定刃１２と相違するものである。固定刃２２において、長櫛刃１２ａは２つ設けられており、整毛櫛刃１２ｂは、長櫛刃１２ａ間と、固定刃２２の側端部と各長櫛刃１２ａとの間に、それぞれ２つずつ配設されている。また、短櫛刃１２ｃは、整毛櫛刃１２ｂ間、及び整毛櫛刃１２ｂと長櫛刃１２ａとの間に、それぞれ２つずつ配設されている。従って、図に示すように、固定刃２２は、長櫛刃１２ａ、整毛櫛刃１２ｂ及び短櫛刃１２ｃのそれぞれの最小ピッチＰａ，Ｐｂ，Ｐｃが、Ｐａ＞Ｐｂ＞Ｐｃの関係を満たしている。
【００２６】
固定刃２２は、毛髪を刃溝に導入する際、長櫛刃１２ａによる第１段階の整毛を行った後、整毛櫛刃１２ｂによる第２段階の整毛により、毛髪を３つの束に分割する。このように、上述と同様に、毛髪の整毛を２段に行うことにより、毛髪を各刃溝奥に均一な密度で導入し、可動刃１３の負担を軽減し、良好な切れ味を得てスムーズに安定して毛髪を切断することができる。
【００２７】
なお、本発明は上記実施形態の構成に限定されるものではなく、発明の趣旨を変更しない範囲で適宜に種々の変形が可能である。例えば、バリカンは、刈り高さ調整機能を有さず、可動刃の固定刃に対する固定刃の櫛刃の突出方向の位置が略固定されているようなものであってもよい。また、整毛櫛刃の刃長は、長櫛刃や短櫛刃のそれに近くなるように、長櫛刃の刃長より短く短櫛刃の刃長より長く形成されていればよく、上述のように長櫛刃と短櫛刃の刃長の中間程度の刃長に限定されるものではない。さらに、整毛櫛刃として、例えば刃長の異なる２種類以上のものが、長櫛刃１２ａと短櫛刃１２ｃと共に設けられていてもよい。この場合、刃長が長いものほど、その最小ピッチが長くなるように配設すればよい。整毛櫛刃の種類を増やすことにより、毛髪の整毛をさらに多段階に行うことができ、毛髪を各刃溝奥に均一な密度で導入させることができ、可動刃１３の負担を軽減することができる。
【図面の簡単な説明】
【００２８】
【図１】（ａ）は本発明の一実施形態に係るバリカンの一例を示す側面図、（ｂ）は同バリカンの平面図、（ｃ）は同バリカンの側断面図。
【図２】上記バリカンの刃ブロックを示す斜視図。
【図３】上記刃ブロックの分解斜視図。
【図４】（ａ）は上記刃ブロックの平面図、（ｂ）は（ａ）の側面図。
【図５】（ａ）は上記刃ブロックの固定刃の平面図、（ｂ）は（ａ）のＡ−Ａ線断面図。
【図６】上記固定刃への毛髪の導入時の毛髪の動きを示す部分拡大図。
【図７】上記固定刃への毛髪の導入時の毛髪の位置を時系列に示す部分拡大図。
【図８】上記実施形態の一変形例に係る刃ブロックの先端部近傍部位を示す部分拡大図。
【図９】従来のバリカンの上記固定刃への毛髪の導入時の毛髪の動きの一例を示す部分拡大図。
【図１０】従来のさらに別のバリカンの上記固定刃への毛髪の導入時の毛髪の動きの一例を示す部分拡大図。
【符号の説明】
【００２９】
１  バリカン
１２，２２  固定刃
１２ａ  長櫛刃（第１の櫛刃）
１２ｂ  整毛櫛刃
１２ｃ  短櫛刃（第２の櫛刃）
１３  可動刃
１３ａ  可動刃櫛刃（可動刃の櫛刃）
Ｈ  毛髪
【図１】
2010124869.tif 000003
【図２】
2010124869.tif 000004
【図３】
2010124869.tif 000005
【図４】
2010124869.tif 000006
【図５】
2010124869.tif 000007
【図６】
2010124869.tif 000008
【図７】
2010124869.tif 000009
【図８】
2010124869.tif 000010
【図９】
2010124869.tif 000011
【図１０】
2010124869.tif 000012